(57)【要約】      （修正有）【課題】コンパクトな構成のダイレクトタイプのデジタルカメラ用フォーカルプレンシャッタを提供する。【解決手段】先羽根用第１駆動部材１４と、先羽根用第２駆動部材１５とが、軸１ｇに回転可能に取り付けられ、後羽根用駆動部材２０が、軸１ｈに回転可能に取り付けられており、第１駆動部材１４は、セット作動時に、セットばね３０の付勢力によって上記第２駆動部材１５に追従して回転し、撮影時には、上記第２駆動部材１５に押されて回転する。抑止手段１３は、抑止部材１３ｂを上記第１駆動部材１４の被抑止部１４ｂの作動軌跡内に出入りさせ得るようになっている。一眼レフカメラで光学ファインダを用いて撮影するときは、セット作動時に、抑止部材１３ｂが被抑止部１４ｂの作動軌跡内に入っており、電子ファインダを用いて撮影するときは、セット作動時に、抑止部材１３ｂが被抑止部１４ｂの作動軌跡外にあるようにすることが可能になっている。【選択図】図４
2011113060.tif 000002
【特許請求の範囲】
【請求項１】
先羽根を連結していて被押動部と被抑止部とを有しておりシャッタ地板の第１軸に対して回転可能に取り付けられている先羽根用第１駆動部材と、押動部を有していて前記第１軸に回転可能に取り付力けられており撮影時において先羽根用駆動ばねの付勢によって回転させられその回転時に該押動部が前記被押動部を押して先羽根用第１駆動部材を共に回転させたときには先羽根に露光開口を開かせる先羽根用第２駆動部材と、セット状態においては先羽根用第１駆動部材を先羽根が露光開口を覆う位置へ回転させ得るように直接又は間接に付勢しているセットばねと、後羽根を連結していて前記シャッタ地板の第２軸に回転可能に取り付けられており撮影時には後羽根用駆動ばねの付勢力によって回転させられ後羽根に露光開口を閉じさせる後羽根用駆動部材と、前記シャッタ地板の第３軸に回転可能に取り付けられておりセット作動時には初期位置から回転して先羽根用第２駆動部材と後羽根用駆動部材とを前記各駆動ばねの付勢力に抗して回転させセット位置においてはそれらの駆動部材をセット状態に維持しカメラのレリーズ後であって撮影露光開始前には初期位置へ復帰するセット部材と、前記被抑止部の作動軌跡内に出入り可能な抑止部材を有していて前記シャッタ地板に取り付けられており該抑止部材が前記被抑止部の作動軌跡外にある場合は撮影終了直後であって前記セット部材のセット作動開始前において該抑止部材を前記被抑止部の作動軌跡内に作動させることが可能であり該抑止部材が前記被抑止部の作動軌跡内にある場合は前記被抑止部の抑止状態において該抑止部材を前記被抑止部の作動軌跡外に作動させることが可能な抑止手段と、を備えていることを特徴とするデジタルカメラ用フォーカルプレンシャッタ。
【請求項２】
前記抑止手段が、電磁装置であって、前記抑止部材が、該電磁装置の往復作動可能な可動子であることを特徴とする請求項１に記載のデジタルカメラ用フォーカルプレンシャッタ。
【請求項３】
前記抑止手段が、電磁アクチュエータと、該電磁アクチュエータによって往復作動させられる部材とを有しており、該部材が前記抑止部材であることを特徴とする請求項１に記載のデジタルカメラ用フォーカルプレンシャッタ。
【請求項４】
前記抑止手段が、電磁装置であって、前記抑止部材が、前記可動子と一体化された部材であることを特徴とする請求項１に記載のデジタルカメラ用フォーカルプレンシャッタ。
【請求項５】
前記可動子が、回転子であることを特徴とする請求項４に記載のデジタルカメラ用フォーカルプレンシャッタ。
【請求項６】
前記回転子が、前記電磁装置の固定子コイルに対する通電方向に対応した方向へ所定の角度範囲で往復回転させられる永久磁石回転子であり、前記抑止部材は、該永久磁石回転子の径方向に延伸して形成され、その先端部を前記被抑止部に対する抑止部としていることを特徴とする請求項５に記載のデジタルカメラ用フォーカルプレンシャッタ。
【請求項７】
前記電磁装置の固定子には磁性体部材が取り付けられており、前記固定子コイルへの通電を断ったときには、前記永久磁石回転子は、前記回転角度範囲の両端のいずれかの位置において、該磁性体部材との間に作用する磁力によって、停止状態を維持されるようにしたことを特徴とする請求項６に記載のデジタルカメラ用フォーカルプレンシャッタ。
【発明の詳細な説明】
【技術分野】
【０００１】
本発明は、デジタルカメラ用のフォーカルプレンシャッタに関する。
【背景技術】
【０００２】
デジタルカメラ用のフォーカルプレンシャッタには、先羽根と後羽根という二つのシャッタ羽根を備えているタイプのものと、一つのシャッタ羽根を備えているタイプのものとがある。そして、前者のタイプのものは、セット状態においては先羽根が露光開口を覆っており、撮影に際しては、先羽根と後羽根を同じ方向へ順に走行させ、先羽根が露光開口を開き始めることによってＣＣＤ等の撮像素子に対する撮影のための露光（以下、撮影露光という）を開始し、後羽根が露光開口を閉じ終わることによって撮影露光を終了するようにしている。そして、その後、撮像情報が撮像素子から情報処理回路を介して記憶装置に記憶されると、レリーズ後におけるカメラとしての一連の撮影作動が終了したことになる。
【０００３】
また、後者のタイプのものは、２種類の撮影方式が知られていて、いずれも、セット状態においては露光開口を全開にしているが、一方は、電子制御回路が撮像素子を制御することによって撮影露光を開始し、シャッタ羽根が露光開口を閉じ終わることによって撮影露光を終了するようにしたものであり、他方は、撮影露光の開始と終了との両方が、いずれも電子制御回路が撮像素子を制御することによって行われた後、シャッタ羽根が露光開口を閉じるようにしたものである。そして、いずれの場合も、シャッタ羽根が露光開口を閉じ終わった後、撮像情報が撮像素子から情報処理回路を介して記憶装置に転送されると、カメラとしての一連の撮影作動が終了したことになる。
【０００４】
本発明は、前者のタイプのデジタルカメラ用フォーカルプレンシャッタに属するものであるが、このタイプのフォーカルプレンシャッタは、先羽根と後羽根は、先羽根用駆動部材と後羽根用駆動部材に連結されており、撮影時には、それらの駆動部材が先羽根用駆動ばねと後羽根用駆動ばねの付勢力によって回転することによって走行させられ、セット時には、それらの駆動部材が、初期位置から回転するセット部材によって、各々の駆動ばねの付勢力に抗してセット位置まで逆転させられるようになっている。そして、それらの駆動部材を、次の撮影が行われるまで、セット位置に保っておくための構成としては、従来から、係止タイプと言われているものと、ダイレクトタイプと言われているものが知られている。
【０００５】
即ち、係止タイプというのは、各駆動部材が、セット位置で各々の係止部材によって係止されているようにしたものである。そのため、セット部材は、セット作動によって、各駆動部材を各々の係止部材に係止させると、直ちに初期位置へ復帰させるようにしてもよいし、カメラのレリーズ後であって先羽根用駆動部材が先羽根用駆動ばねの付勢力によって回転を開始する前に初期位置へ復帰させるようにしてもよく、撮影に際しては、各々の係止部材が夫々の電磁石に操作されて各駆動部材の係止を解くと、先羽根と後羽根が走行するように構成されている。
【０００６】
他方、ダイレクトタイプというのは、各駆動部材が、鉄片部材を備えており、セット部材は、セット作動によって、それらの鉄片部材を各々の電磁石に接触させた状態で停止し、次の撮影までその状態を保っているようにしたものである。そのため、セット部材は、次の撮影時に、それらの鉄片部材が各々の電磁石に吸着されると、初期位置へ復帰し、その後、各々の電磁石が消磁して夫々の鉄片部材を釈放すると、各駆動部材が回転して、先羽根と後羽根が走行するように構成されている。
【０００７】
また、デジタルカメラの場合には、撮影前に被写体像を観察する手段として、光学ファインダを備えたものと、液晶パネルなどの表示装置を用いた電子ファインダを備えたものと、それらの両方を備えたものとがあるが、最近では、少なくとも、電子ファインダを備えていることが必須になっている。そして、電子ファインダを用いて撮影前の被写体像を観察できるようにする場合は、撮影用の撮像素子を、撮影前の被写体像を観察する場合の撮像素子として兼用させるのが好都合であるが、その点、シャッタ羽根を一つだけ備えているタイプのフォーカルプレンシャッタの場合には、セット状態においては、必ず露光開口を全開にしているので、撮像素子を兼用させても、シャッタの構成上では特に問題となることはない。
【０００８】
ところが、二つのシャッタ羽根を備えているタイプのフォーカルプレンシャッタの場合は、セット状態においては、露光開口を全開にしておき、撮影に際してレリーズボタンが押されると、その初期段階において、先ず、先羽根を露光開口を覆った状態に作動させておき、その後に先羽根と後羽根とを順に同じ方向へ走行させるようにする必要があるため、シャッタの構成は複雑になってしまうことになる。そして、下記の特許文献１には、光学ファインダと電子ファインダとを備えているカメラに採用されたとき、撮影者が撮影前に、光学ファインダを用いて撮影する場合と電子ファインダを用いて撮影する場合とを選択することが可能であって、いずれの場合においても、先羽根が露光開口を開き始めることによって撮影露光を開始し、後羽根が露光開口を閉じ終わることによって撮影露光を終了するようにしたダイレクトタイプのフォーカルプレンシャッタが記載されている。
【先行技術文献】
【特許文献】
【０００９】
【特許文献１】特開２００１−２２２０５９号公報
【発明の概要】
【発明が解決しようとする課題】
【００１０】
上記のように、特許文献１に記載されているフォーカルプレンシャッタは、二つのシャッタ羽根を備えているシャッタではあるが、光学ファインダを用いて撮影をすることができるだけではなく、撮影用の撮像素子を用いて、撮影しようとする被写体像を電子ファインダで観察しながら撮影をすることも可能になっている。即ち、特許文献１に記載されているカメラは、撮影者が、電子ファインダを用いる撮影を選択した場合には、可動ミラー（クイックリターンミラー）はアップ状態に維持され、且つ露光開口は全開状態になっており、撮影に際してカメラのレリーズ釦が押されると、先ず、先羽根が露光開口を閉鎖し、その後、先羽根が露光開口を開き始めることによって撮影露光を開始し、さらに所定時間後に、後羽根が露光開口を閉じ終わることによって撮影露光を終了するように構成されている。
【００１１】
ところが、最近の高級カメラは、ますます多機能化が進んでおり、このように二つのシャッタ羽根を作動させて撮影を行えるように構成したフォーカルプレンシャッタであっても、撮影前に撮影者が選択することにより、上記した一つのシャッタ羽根を備えているフォーカルプレンシャッタのように、セット状態においては露光開口が全開になっており、撮影に際してカメラのレリーズ釦が押されると、露光開口を全開にしている状態において、電子制御回路が撮像素子を制御することによって撮影露光を開始し、シャッタ羽根が露光開口を閉じ終わることによって撮影露光を終了するようにした撮影や、撮影露光の開始と終了の両方が、いずれも電子制御回路が撮像素子を制御することによって行われ、その後、後羽根によって露光開口を閉じるようにした撮影も行えるようにしたいという要求がある。
【００１２】
本発明は、このような問題点を解決するためになされたものであり、その目的とするところは、光学ファインダを用いて撮影する場合には、セット状態において、先羽根が露光開口を閉じ後羽根が露光開口から退いていて、撮影に際しては、先羽根が露光開口を開き始めることによって撮影露光を開始し後羽根が露光開口を閉じ終わることによって撮影露光を終わるようにしたモードでの撮影を行うようにすることが可能であるし、また、電子ファインダを用いて撮影する場合には、セット状態において、先羽根と後羽根の両方が露光開口を開いているようにし、撮影に際しては、レリーズ後の初期段階において先羽根が露光開口を一旦閉じた後、先羽根が露光開口を開き始めることによって撮影露光を開始し後羽根が露光開口を閉じ終わることによって撮影露光が終わるようにしたモードでの撮影を行うようにすることが可能であると共に、撮影に際しては先羽根を作動させることなく、電子制御回路が撮像素子を制御することにより、撮影露光の開始だけを行わせたり、撮影露光の開始と終了の両方を行わせることによって、後羽根だけを露光開口を閉じるために作動させるようにしたモードでの撮影も行うようにすることの可能な、コンパクトな構成のダイレクトタイプのデジタルカメラ用フォーカルプレンシャッタを提供することである。
【課題を解決するための手段】
【００１３】
上記の目的を達成するために、本発明のデジタルカメラ用フォーカルプレンシャッタは、先羽根を連結していて被押動部と被抑止部とを有しておりシャッタ地板の第１軸に対して回転可能に取り付けられている先羽根用第１駆動部材と、押動部を有していて前記第１軸に回転可能に取り付力けられており撮影時において先羽根用駆動ばねの付勢によって回転させられその回転時に該押動部が前記被押動部を押して先羽根用第１駆動部材を共に回転させたときには先羽根に露光開口を開かせる先羽根用第２駆動部材と、セット状態においては先羽根用第１駆動部材を先羽根が露光開口を覆う位置へ回転させ得るように直接又は間接に付勢しているセットばねと、後羽根を連結していて前記シャッタ地板の第２軸に回転可能に取り付けられており撮影時には後羽根用駆動ばねの付勢力によって回転させられ後羽根に露光開口を閉じさせる後羽根用駆動部材と、前記シャッタ地板の第３軸に回転可能に取り付けられておりセット作動時には初期位置から回転して先羽根用第２駆動部材と後羽根用駆動部材とを前記各駆動ばねの付勢力に抗して回転させセット位置においてはそれらの駆動部材をセット状態に維持しカメラのレリーズ後であって撮影露光開始前には初期位置へ復帰するセット部材と、前記被抑止部の作動軌跡内に出入り可能な抑止部材を有していて前記シャッタ地板に取り付けられており該抑止部材が前記被抑止部の作動軌跡外にある場合は撮影終了直後であって前記セット部材のセット作動開始前において該抑止部材を前記被抑止部の作動軌跡内に作動させることが可能であり該抑止部材が前記被抑止部の作動軌跡内にある場合は前記被抑止部の抑止状態において該抑止部材を前記被抑止部の作動軌跡外に作動させることが可能な抑止手段と、を備えているようにする。
【００１４】
このような本発明のデジタルカメラ用フォーカルプレンシャッタは、前記抑止手段が、電磁装置であって、前記抑止部材が、該電磁装置の往復作動可能な可動子であるようにしてもよい。また、前記抑止手段が、電磁アクチュエータと、該電磁アクチュエータによって往復作動させられる部材とを有しており、該部材が前記抑止部材であるようにしてもよい。
【００１５】
しかしながら、前記抑止手段が、電磁装置であって、前記抑止部材が、前記可動子と一体化された部材であるようにするのが最も実用的である。その場合、前記可動子が、回転子であることが好ましく、特に、前記回転子が、前記電磁装置の固定子コイルに対する通電方向に対応した方向へ所定の角度範囲で往復回転させられる永久磁石回転子であり、前記抑止部材は、該永久磁石回転子の径方向に延伸して形成され、その先端部を前記被抑止部に対する抑止部としているようにするのが好ましい。そして、さらにその場合には、前記電磁装置の固定子には磁性体部材が取り付けられており、前記固定子コイルへの通電を断ったときには、前記永久磁石回転子は、前記回転角度範囲の両端のいずれかの位置において、該磁性体部材との間に作用する磁力によって、停止状態を維持されるようにすると、消費電力の点で有利なものとなる。
【発明の効果】
【００１６】
本発明のデジタルカメラ用フォーカルプレンシャッタは、先羽根と後羽根を備えたコンパクトな構成をしているにも関わらず、光学ファインダを用いて撮影する場合には、セット状態においては、先羽根が露光開口を閉じ後羽根が露光開口から退いていて、撮影に際しては、先羽根が露光開口を開き始めることによって撮影露光を開始し後羽根が露光開口を閉じ終わることによって撮影露光を終わるようにしたモードでの撮影も行えるようにすることができるし、また、電子ファインダを用いて撮影する場合には、セット状態においては、先羽根と後羽根の両方が露光開口を開いていて、撮影に際しては、レリーズ後の初期段階において先羽根が露光開口を一旦閉じた後に、先羽根が露光開口を開き始めることによって撮影露光を開始し後羽根が露光開口を閉じ終わることによって撮影露光を終わるようにしたモードでの撮影を行えるようにすることができると共に、撮影に際しては先羽根を作動させることなく、電子制御回路が撮像素子を制御することによって、撮影露光の開始だけを行わせるようにしたり、撮影露光の開始と終了の両方を行わせるようにしたりすることによって、後羽根だけを露光開口を閉じるために作動させるようにしたモードでの撮影も行えるようにすることが可能であるから、少なくとも、それらのうちの二つの撮影モードを選択して撮影することを可能にしたカメラに用いて極めて有効なものである。
【図面の簡単な説明】
【００１７】
【図１】実施例の全体を示した平面図である。
【図２】図１における左側の約半分を拡大して示した平面図である。
【図３】図２を右側から見て、一部の部材を断面で示した側面図である。
【図４】第１撮影モードを選択している場合におけるセット状態を示した平面図である。
【図５】図４の状態においてカメラのレリーズボタンが押された後ではあるが、実際に撮影露光が開始される前の状態を示した平面図である。
【図６】図５の状態から先羽根が走行を開始し露光開口を全開にした状態を示した平面図である。
【図７】図６の状態から後羽根が走行を開始し露光開口を閉鎖した状態を示した平面図である。
【図８】第１撮影モードで撮影する場合における各主要構成手段の作動関係を示すタイミングチャートである。
【図９】第１撮影モードの選択状態において、第２撮影モード又は第３撮影モードを選択した場合における切換え時の状態を示した平面図である。
【図１０】第２撮影モード又は第３撮影モードを選択している場合におけるセット状態を示した平面図である。
【図１１】第１撮影モードから第２撮影モード又は第３撮影モードへ第１の切換え方式によって切り換えるときの各主要構成手段の作動関係を示すタイミングチャートである。
【図１２】第１撮影モードから第２撮影モード又は第３撮影モードへ第２の切換え方式によって切り換えるときの各主要構成手段の作動関係を示すタイミングチャートである。
【図１３】第１撮影モードから第２撮影モード又は第３撮影モードへ第３の切換え方式によって切り換えるときの各主要構成手段の作動関係を示すタイミングチャートである。
【図１４】第２撮影モードで撮影する場合における各主要構成手段の作動関係を示すタイミングチャートである。
【図１５】第３撮影モードの選択時において、カメラのレリーズボタンが押された直後の状態を示した平面図である。
【図１６】第３撮影モード選択時において、図１５の状態から後羽根が走行を開始し露光開口を閉鎖した状態を示した平面図である。
【図１７】第３撮影モードで撮影する場合における各主要構成手段の作動関係を示すタイミングチャートである。
【図１８】第２撮影モード又は第３撮影モードから第１撮影モードへ切り換えるときの各主要構成手段の作動関係を示すタイミングチャートである
【発明を実施するための形態】
【００１８】
本発明の実施の形態を、図示した実施例によって説明する。上記したように、本発明のデジタルカメラ用フォーカルプレンシャッタは、光学ファインダを用いて撮影する場合には、セット状態において、先羽根が露光開口を閉じ後羽根が露光開口から退いていて、撮影に際しては、先羽根が露光開口を開き始めることによって撮影露光を開始し後羽根が露光開口を閉じ終わることによって撮影露光を終わるようにしたモード（以下、第１撮影モードという）での撮影を行うようにすることが可能であるし、また、電子ファインダを用いて撮影する場合には、セット状態において、先羽根と後羽根の両方が露光開口を開いているようにし、撮影に際しては、レリーズ後の初期段階で先羽根が露光開口を一旦閉じた後に、先羽根が露光開口を開き始めることによって撮影露光を開始し後羽根が露光開口を閉じ終わることによって撮影露光を終わるようにしたモード（以下、第２撮影モードという）での撮影を行えるようにすることも可能である。
【００１９】
その上、電子ファインダを用いて撮影する場合においては、セット状態において、先羽根と後羽根の両方が露光開口を開いていて、撮影に際しては、先羽根を作動させることなく、電子制御回路が撮像素子を制御することによって撮影露光を開始し、後羽根が露光開口を閉じることによって撮影露光を終了するようにしたモード（以下、第３撮影モードという）での撮影を行えるようにすることも可能であるし、電子制御回路が撮像素子を制御することによって撮影露光の開始と終了の両方を行わせ、撮影露光終了後に後羽根を作動させて露光開口を閉じさせるようにしたモード（以下、第４撮影モードという）での撮影も行えるようにすることが可能である。
【００２０】
そのため、本発明のデジタルカメラ用フォーカルプレンシャッタをカメラに備えると、そのカメラを、上記の四つの撮影モードのうち、任意の二つ以上の撮影モードでの撮影が可能なカメラとすることができ、撮影者は、それらのうちから所望の撮影モードを選択して撮影することが可能になる。しかしながら、それらの場合の全てについて説明すると、重複説明が多くなって冗長になるし、また、そこまで説明しなくても全ての場合を理解することが可能であるため、実施例は、第１〜第３撮影モードのうちから、所望の一つのモードを選択して撮影を行えるようにしたカメラの場合で説明し、第４撮影モードについては、補足的に説明する。尚、光学ファインダを用いて撮影する場合であっても、上記の第１撮影モードのシーケンスで作動させるだけではなく、上記の第２撮影モード又は第３撮影モードのシーケンスで作動させるようにすることも可能であるが、そのことについては、実施例の作動説明中で述べることにする。
【実施例】
【００２１】
先ず、主に図１〜図４を用いて本実施例の構成を説明する。図１は、撮影終了後であってセット作動開始前の状態を示した全体の平面図であり、図２は、図１における左側の約半分を拡大して示した平面図であり、図３は、図２を右側から見て、一部の部材を断面で示したり破断して示したりした側面図である。また、図４は、第１撮影モードを選択している場合における構成部材のセット状態を示した平面図である。尚、以下においては、本実施例のフォーカルプレンシャッタをカメラに組み込んだとき、図１の手前側が被写体側、即ち撮影レンズ側になり、図１の背面側が撮像装置側になることを前提にして説明するが、周知のように、デジタルカメラの場合には、図１の手前側が撮像装置側になり、図１の背面側が被写体側になることもある。
【００２２】
シャッタ地板１は、合成樹脂製であって、その略中央部には、長方形を横長にした露光用の開口部１ａが形成されているが、後述の中間板２と補助地板３の一部が目視できるようにするために、図１においては、その開口部１ａの上方の領域の一部を破断して示している。そして、シャッタ地板１は、図１における左上方と、左下方と、右下方とに三つの孔１ｂ，１ｃ，１ｄを形成しているが、それらのうち、孔１ｂ，１ｃは、ねじによってカメラ本体に取り付けるためのものであり、孔１ｃは、カメラ本体に設けられた位置決めピンに嵌合させるためのものである。
【００２３】
また、周知のように、シャッタ地板１の撮像装置側には、所定の間隔を空けて、中間板２と補助地板３が順に取り付けられており、シャッタ地板１と中間板２との間に後述する後羽根の羽根室を構成し、中間板２と補助地板３との間に後述する先羽根の羽根室を構成している。それらのうち、中間板２は、図示していない複数の孔を、シャッタ地板１に立設された図示していない複数の軸に嵌合させているだけであるが、補助地板３は、合成樹脂製であって、図示していないねじ等の適宜な手段を用いて、シャッタ地板１に取り付けられている。尚、中間板２と補助地板３とは、図１及び図３に示しているだけであり、他の図面では図示を省略されている。
【００２４】
図１に示されているように、中間板２の外形は、シャッタ地板１の外形よりも一回り小さいが、補助地板３の外形は、シャッタ地板１の外形と略同じである。そして、中間板２と補助地板３にも、開口部１ａと重なるところに開口部２ａ，３ａが形成されている。尚、図１においては、開口部３ａは、開口部１ａと略同じ形状に示されているが、実際には、開口部１ａよりも僅かに大きな長方形をしている。また、開口部２ａの方は、開口部１ａよりも大きく且つ開口部１ａの二つの長辺に対応する縁が山型（ヘ字状）に形成されている。そのため、本実施例においては、シャッタ地板１に形成されている開口部１ａが、露光開口の形状、即ちシャッタとしての画枠形状を決めている。
【００２５】
シャッタ地板１の被写体側の面には、開口部１ａの左側の領域における上方位置と下方位置に、二つの柱１ｅ，１ｆが形成されているほか、それらの間の領域に三つの軸１ｇ，１ｈ，１ｉが立設されている。それらのうち、柱１ｅ，１ｆは、図３にだけ示されているが、その先端面には、ねじ穴が形成されている。また、軸１ｇ，１ｈ，１ｉは、図３に示されている軸１ｇ，１ｈから理解することができるように、被写体側の先端に小径部が形成されている。更に、軸１ｇ，１ｈは、図３に示されているように、それらの他端を、シャッタ地板１の撮像装置側の面から突き出しており、それらの先端を、補助地板３に形成された孔に挿入している。また、図３及び図４に示されているように、シャッタ地板１の撮像装置側の面には、二つの軸１ｊ，１ｋが立設されている。
【００２６】
図１，図２，図４に示されているように、このシャッタ地板１には、上記の軸１ｇ，１ｈを中心にした二つの円弧状の長孔１ｍ，１ｎが形成されており、それらの下方端部には、平面形状が略Ｃ字状をした周知のゴム製の緩衝部材４，５が取り付けられている。そして、補助地板３にも、それらの長孔１ｍ，１ｎと対向するところに、同じ形状の長孔３ｂ，３ｃが形成されているが、それらの長孔３ｂ，３ｃは、図３においてだけ、断面で示されている。更に、シャッタ地板１には、上記の軸１ｉを中心にした円弧状の長孔も形成されているが、その長孔の図示は省略されている。
【００２７】
図３に示している支持板６とプリント配線板７とは、支持板６をシャッタ地板１側にして重ねられており、二つのねじ８，９によって、上記の柱１ｅ，１ｆの先端面に螺着されている。また、上記の軸１ｇ，１ｈ，１ｉは、それらに形成されている上記の小径部の先端を、支持板６とプリント配線板７に形成された孔に挿入している。尚、他の構成部材を分かり易くするために、図１及び図２においては、支持板６の外形形状は、一点鎖線で示されており、プリント配線板７の外形形状は、二点鎖線で示されている。そして、支持板６と、プリント配線板７と、二つのねじ８，９については、図１〜図３以外の図面では、図示を省略されている。
【００２８】
支持板６は、薄い金属製の板材で製作されていて、シャッタ地板１側に折り曲げられた複数の折曲部を有している。そして、先羽根用電磁石１０と後羽根用電磁石１１とは、周知のようにして、それらのうちの複数の折曲部に取り付けられているが、図１及び図２においては、それらの二つの電磁石１０，１１も、支持板６と同様に、一点鎖線で示してある。また、先羽根用電磁石１０と後羽根用電磁石１１とは、全く同じ構成をしており、二つの脚部を有するＵ字形の鉄芯部材１０ａ，１１ａと、中空部を有していてその外側にコイル１０ｂ，１１ｂを巻回したボビン１０ｃ，１１ｃとからなっていて、鉄芯部材１０ａ，１１ａは、先端を磁極部としている二つの脚部を、支持板６に対して垂直に配列して取り付けられており、各々、一方の脚部を、ボビン１０ｃ，１１ｃの中空部に貫通させている。
【００２９】
また、ボビン１０ｃ，１１ｃは、コイル１０ｂ，１１ｂの両端を巻き付けておくための端子ピンを二つづつ立設しており、それらの先端を、支持板６とプリント配線板７に設けた図示していない孔に貫通させている。そして、コイル１０ｂ，１１ｂの各両端は、プリント配線板７の被写体側において、プリント配線板７に形成された配線パターンに半田付けされている。尚、コイル１０ｂ，１１ｂとボビン１０ｃ，１１ｃとは、図１〜図３においてだけ示されており、他の図面においては、鉄芯部材１０ａ，１１ａだけが示されている。また、周知のように、プリント配線板７には、後述の先羽根用第１駆動部材１４によってオン・オフされる二つの接片部材も取り付けられているが、それらの図示は省略されている。
【００３０】
シャッタ地板１の被写体側の面には、ねじ１２によって、抑止手段１３が取り付けられている。本実施例の抑止手段１３は、特開２００５−１７３１３２号公報などに記載されている周知の電流制御式アクチュエータの構成を変形させた電磁装置である。即ち、上記の公報に記載されている電磁アクチュエータは、シャッタ羽根を往復回転させるための出力ピンを、永久磁石回転子の回転軸と平行になるようにして、永久磁石回転子と一体に形成している。それに対して、本実施例の抑止手段１３は、後述の先羽根用第１駆動部材１４が、図１などにおいて反時計方向へ回転するのを抑止可能とするために、合成樹脂製であって先端面が方形をした棒状の抑止部材１３ｂを、永久磁石回転子１３ａの回転軸と垂直になるようにして、永久磁石回転子１３ａと一体に形成している。
【００３１】
従って、上記の電流制御式アクチュエータは、出力ピンによってシャッタ羽根や絞り羽根などを駆動するものであるから、まさしくアクチュエータである。しかしながら、本実施例の抑止手段１３は、類似の構成をした電磁装置ではあるが、抑止部材１３ｂによって、後述する先羽根用第１駆動部材１４の回転を単に抑止するだけのものであるから、アクチュエータとは言えない。そのため、抑止部材１３ｂ以外の構成が周知であるとはいえ、この抑止手段１３の構成と作動を、図２及び図３を用いて簡単に説明しておく。
【００３２】
先ず、構成を説明する。第１固定子枠１３ｃは、円筒形の一端を封鎖したコップ状をしていて、板状の第２固定子枠１３ｄとの間に、永久磁石回転子１３ａの収容室を構成しているが、これらの固定子枠１３ｃ，１３ｄは、収容室内で永久磁石回転子１３ａを軸受け状態にしておき、収容室の外側に形成されている溝に、両方の軸受け部を囲むようにコイル１３ｅを巻回することによって一体化されている。そして、そのようにした後、第１固定子枠１３ｃには、円筒形のヨーク１３ｆが嵌装されている。
【００３３】
図３に示されているように、この第１固定子枠１３ｃには、窓１３ｃ−２が形成されており、上記の抑止部材１３ｂは、その窓１３ｃ−２から外部へ突き出され、永久磁石回転子１３ａによって、所定の角度範囲内でだけ往復回転し得るようになっている。また、図２に示されているように、第１固定子枠１３ｃには、永久磁石回転子１３ａの回転軸と平行になるようにして４本の磁性体棒１３ｇ（１本にだけに符号を付けてある）が被写体側から挿入されている。更に、第１固定子枠１３ｃには、張出部１３ｃ−１が形成されており、抑止手段１３は、その張出部１３ｃ−１を上記のねじ１２で螺着することによって、シャッタ地板１に取り付けられている。尚、周知のように、磁性体棒１３ｇは４本に限定されるものではない。
【００３４】
次に、本実施例における抑止手段１３の作動を説明する。永久磁石回転子１３ａは、図２に示されているように、径方向に２極に着磁されており、コイル１３ｅに対して順方向に通電すると、永久磁石回転子１３ａは反時計方向へ回転させられ、抑止部材１３ｂがストッパピン１ｑに当接することによって、停止させられるようになっている。また、その後、コイル１３ｅに対して逆方向に通電すると、永久磁石回転子１３ａは時計方向へ回転させられ、抑止部材１３ｂがストッパピン１ｐに当接することによって、停止させられるようになっている。
【００３５】
そして、抑止部材１３ｂがストッパピン１ｐに接触しているときに、コイル１３ｅに対する通電を断っても、永久磁石回転子１３ａと４本の磁性体棒１３ｇとの間に作用する永久磁石回転子１３ａの磁力によって、永久磁石回転子１３ａには時計方向へ回転する力が付与されていて、抑止部材１３ｂをストッパピン１ｐに接触させた停止状態が維持され、また、抑止部材１３ｂがストッパピン１ｑに接触しているとき、コイル１３ｅに対する通電を断っても、上記と同じ理由によって、永久磁石回転子１３ａには反時計方向へ回転する力が付与されていて、抑止部材１３ｂをストッパピン１ｑに接触させた停止状態が維持されるようになっている。
【００３６】
尚、図８のタイミングチャートに記載されている「抑止手段（１３）」における「＋ＯＮ」は、上記のように、永久磁石回転子１３ａを反時計方向へ回転させるための制御信号が発せられ、コイル１３ｅに対して順方向へ電流が供給されている状態を意味し、「−ＯＮ」は、永久磁石回転子１３ａを時計方向へ回転させるための制御信号が発せられ、コイル１３ｅに対して逆方向へ電流が供給されている状態を意味している。そして、「ＯＦＦ」は、いずれの信号も発せられず、コイル１３ｅに対して通電されていない状態を示すものである。そして、このことは、他のタイミングチャートにおいても同じである。
【００３７】
シャッタ地板１の被写体側において、上記の軸１ｇには、先羽根用第１駆動部材１４と先羽根用第２駆動部材１５とが、先羽根用第１駆動部材１４をシャッタ地板１側にして、各々、回転可能に取り付けられている。そして、その具体的な取付け構成は、図３に示されているように、先羽根用第２駆動部材１５の方は、その筒部１５ａを、軸１ｇに対して直接嵌合させており、先羽根用第１駆動部材１４の方は、その孔を、先羽根用第２駆動部材１５の筒部１５ａの外側に嵌合させている。
【００３８】
そこで先ず、先羽根用第１駆動部材１４について説明する。先羽根用第１駆動部材１４は、被押動部１４ａと、被抑止部１４ｂと、駆動ピン１４ｃとを有している。それらのうち、被押動部１４ａと被抑止部１４ｂとは、両方とも、被写体側に厚く形成されている部位に、被押動部１４ａが軸１ｇ側となるようにして、隣接して形成されている。そして、その被押動部１４ａは、後述する先羽根用第２駆動部材１５の押動部１５ｄによって押される部位である。また、被抑止部１４ｂは、先羽根用第１駆動部材１４が反時計方向へ回転しようとするとき、上記の抑止部材１３ｂの先端に当接して抑止される部位である。
【００３９】
また、駆動ピン１４ｃは、シャッタ地板１側に立設されていて、シャッタ地板１の長孔１ｍに挿入され、先端部を、補助地板３に形成された上記の長孔３ｂに挿入している。また、この駆動ピン１４ｃは、その根元部と先端部とでは断面形状が異なっており、根元部はＤ形をしていて、先端部は砲弾形をしている。そして、その根元部は、上記の緩衝部材４に当接する部位であり、また、先端部は、後述の先羽根に連結される部位である。
【００４０】
他方、先羽根用第２駆動部材１５は、上記の筒部１５ａのほか、被押動部１５ｂと、被写体側に厚く形成された取付部１５ｃと、押動部１５ｄとを有している。また、図１及び図２においては、取付部１５ｃの一部を、シャッタ地板１と平行に切断して示してあるように、その内部には、鉄片部材１６と圧縮ばね１７とが収容されている。そして、鉄片部材１６は、軸部１６ａの一端に円盤状をした頭部１６ｂを有しており、軸部１６ａの他端には鉄片部１６ｃを取り付けていて、軸部１６ａに嵌装した圧縮ばね１７によって、鉄片部１６ｃを取付部１５ｃ内から突き出すように付勢されている。尚、図３においては、図面を見やすくするために、取付部１５ｃの図示が省略されている。
【００４１】
図３に示されているように、先羽根用第２駆動部材１５の筒部１５ａには、先羽根用駆動ばね１８が緩く嵌装されている。また、シャッタ地板１の軸１ｇの小径部には、ラチェット部材１９が回転可能に取付けられている。更に、図１及び図２に示されているように、支持板６は、折曲部の一つをラチェット爪６ａとしていて、その先端を、ラチェット部材１９の外周部に形成されたラチェット歯に噛合させ、ラチェット部材１９の反時計方向への回転を阻止している。
【００４２】
そして、先羽根用駆動ばね１８は、周知のように、一端を先羽根用第２駆動部材１５の図示していないばね掛け部に掛け、他端をラチェット部材１９の図示していないばね掛け部に掛けて、先羽根用第２駆動部材１５を図１において時計方向へ回転させるように付勢しており、その付勢力は、ラチェット爪６ａを一時的に外し、ラチェット部材１９の回転位置を変えることによって調整できるようになっている。尚、先羽根用駆動ばね１８は、図３にだけ示され、ラチェット部材１９は、図１〜図３にだけ示されている。
【００４３】
シャッタ地板１に立設されている上記の軸１ｈには、後羽根用駆動部材２０が回転可能に取り付けられている。この後羽根用駆動部材２０は、筒部２０ａと、取付部２０ｂと、駆動ピン２０ｃとを有しているほか、図３に示されているように、抜け止め部材を圧入することによってローラー２０ｄを回転可能に取り付けていて、筒部２０ａを軸１ｈに嵌合させている。また、取付部２０ｂの内部は、先羽根用第２駆動部材１５の取付部１５ｃと全く同じ構成をしていて、鉄片部材２１と圧縮ばねが収容されている。尚、取付部２０ｂは、上記の取付部１５ｃのように断面で示されていないので、図１及び図２においては、鉄片部材２１の頭部２１ｂと鉄片部２１ｃは目視することができるが、軸部２１ａは目視することができない。また、圧縮ばねは、後述するどのような作動状態においても目視することができない。そして、図３においては、この取付部２０ｂの図示が省略されている。
【００４４】
また、駆動ピン２０ｃは、上記の先羽根用第１駆動部材１４の駆動ピン１４ｄと同様に、シャッタ地板１側に立設されていて、シャッタ地板１の長孔１ｎに挿入され、先端部を、補助地板３に形成されている上記の長孔３ｃに挿入している。また、この駆動ピン２０ｃも、その根元部と先端部とでは断面形状が異なっていて、根元部は円形をしており、先端部は砲弾形をしている。そして、その根元部は、上記の緩衝部材５に当接する部位であり、また、先端部は、後述の後羽根に連結される部位である。
【００４５】
後羽根用駆動部材２０の筒部２０ａには、図３に示されているように、後羽根用駆動ばね２２が緩く嵌装されている。また、シャッタ地板１の軸１ｈの小径部には、ラチェット部材２３が回転可能に取付けられている。更に、図１及び図２に示されているように、支持板６は、折曲部の一つをラチェット爪６ｂとしていて、その先端を、ラチェット部材２３の外周部に形成されているラチェット歯に噛合させ、ラチェット部材２３の反時計方向への回転を阻止している。
【００４６】
そして、後羽根用駆動ばね２２は、一端を後羽根用駆動部材２０の図示していないばね掛け部に掛け、他端をラチェット部材２３の図示していないばね掛け部に掛けていて、後羽根用駆動部材２０を図１において時計方向へ回転させるように付勢しており、その付勢力は、ラチェット爪６ｂを一時的に外し、ラチェット部材２３の回転位置を変えることによって調整できるようになっている。尚、後羽根用駆動ばね２２は、図３にだけ示されており、ラチェット部材２３は、図１〜図３にだけ示されている。
【００４７】
シャッタ地板１に立設されている上記の軸１ｉには、セット部材２４が回転可能に取り付けられており、図示していないばねによって反時計方向へ回転するように付勢されている。また、このセット部材２４は、シャッタ地板１側の面に、図示していない係合ピンを立設しており、軸１ｉを中心にしてシャッタ地板１に円弧状に形成された図示していない長孔に挿入されている。そして、図１及び図２においては、セット部材２４は、その図示していないばねの付勢力によって反時計方向へ回転させられ、その係合ピンが、上記の図示していない長孔の一端に当接して停止させられている。以下、セット部材２４については、この位置を初期位置ということにする。
【００４８】
また、このセット部材２４は、上記の図示していない係合ピンのほか、筒部２４ａと、二つの押動部２４ｂ，２４ｃと、被押動部２４ｄとを有していて、筒部２４ａを軸１ｉに回転可能に嵌合させている。そして、押動部２４ｂは、先羽根用第２駆動部材１５の被押動部１５ｂを押す部位であり、押動部２４ｃは、後羽根用駆動部材２０のローラー２０ｄを押す部位であり、被押動部２４ｄは、図示していないカメラ本体側の部材によって押される部位である。
【００４９】
次に、シャッタ地板１の背面側に配置されている先羽根と後羽根の構成を、主に図４を用いて説明する。先ず、中間板２と補助地板３との間に配置されている先羽根は、シャッタ地板１の背面側において、上記の軸１ｇに対して回転可能に取り付けられたアーム２５と、上記の軸１ｊに対して回転可能に取り付けられたアーム２６と、それらの両方に対して先端部に向けて順に枢支された３枚の羽根２７，２８，２９とで構成されており、羽根２９が先羽根のスリット形成羽根となっている。そして、周知のように、上記の先羽根用第１駆動部材１４の駆動ピン１４ｃの先端部が、アーム２５に形成された長孔２５ａ（図３に、断面で示されている）に嵌合している。尚、図３に示されているように、アーム２５は、実際には、かしめ加工によって一体化された部材の孔を、軸１ｇに嵌合させている。
【００５０】
更に、シャッタ地板１の軸１ｊには、コイルばねであるセットばね３０が嵌装されていて、その一端をシャッタ地板１に設けた図示していないばね掛け部に掛け、他端をアーム２６に掛けて、アーム２６を反時計方向へ回転させるように付勢している。従って、本実施例においては、このセットばね３０は、後述する作動説明からも明らかなように、先羽根を介して、先羽根用第１駆動部材１４を反時計方向へ回転させる役目をしているが、それと同時に、周知のような、先羽根のガタ寄せばねの役目もしている。そして、このセットばね３０の付勢力は、上記の先羽根用駆動ばね１８の付勢力よりも小さい。尚、本実施例では、このセットばね３０は、軸１ｊに嵌装されているが、軸１ｇに嵌装するようにして、アーム２５を反時計方向へ回転させるように付勢するようにしても差し支えない。
【００５１】
他方、後羽根は、シャッタ地板１と中間板２の間に配置されており、シャッタ地板１の背面側において、上記の軸１ｈに対して回転可能に取り付けられたアーム３１と、上記の軸１ｋに対して回転可能に取り付けられたアーム３２と、それらの両方に対し先端部に向けて順に枢支された３枚の羽根３３，３４，３５とで構成されており、羽根３５が後羽根のスリット形成羽根となっている。そして、後羽根用駆動部材２０の駆動ピン２０ｃの先端部が、周知のようにして、アーム３１に形成されている長孔３１ａ（図３に、断面で示されている）に嵌合している。
【００５２】
更に、シャッタ地板１の上記の軸１ｋには、上記のセットばね３０と同じようにして、ばね３６が嵌装されており、その一端をシャッタ地板１に設けられた図示していないばね掛け部に掛け、他端をアーム３２に掛けていて、アーム３２を反時計方向へ回転させるように付勢している。従って、このばね３６は、後羽根を介して、後羽根用駆動部材２０を反時計方向へ回転させるように付勢していることになるが、その付勢力は、上記した後羽根用駆動ばね２２の付勢力よりも小さい。尚、このばね３６は、上記のセットばね３０とは異なり、周知のガタ寄せばねの役目をしているだけである。そのため、このばね３６の場合には、アーム３２に対して、時計方向への回転力を付与するように構成しても差し支えない。また、軸１ｈに嵌装し、アーム３１を、いずれか一方へ回転させるように構成しても差し支えない。
【００５３】
次に、本実施例の作動を説明する。既に説明したように、本実施例のカメラ用フォーカルプレンシャッタは、撮影前に、カメラに備えられている選択手段を操作することによって、三つの撮影モードのうちから所望の撮影モードを選択して撮影をすることが可能である。そのため、本実施例の作動説明に際しては、第１撮影モードでの作動、第２撮影モードでの作動、第３撮影モードでの作動の順に説明をし、それらの切換え作動についても適時に説明することにする。
【００５４】
そこで先ず、第１撮影モードでの作動を、各々の作動段階における各構成手段の作動状態を示した図４〜図７の平面図と、主要な構成手段の作動関係を示した図８のタイミングチャートを用いて説明する。尚、上記したように、第１撮影モードは、光学ファインダを用いて撮影をする場合であって、先羽根が露光開口を開き始めることによって撮影露光を開始し後羽根が露光開口を閉じ終わることによって撮影露光を終わるようにしたモードである。
【００５５】
図４は、撮影前に、撮影者が選択手段を操作することによって、第１撮影モードを選択したときのセット状態を示したものである。このとき、可動ミラーを備えた一眼レフカメラの場合には、図示していない可動ミラーがダウン状態になっていて、光学ファインダによって被写体像を観察することができるようになっている。また、セット部材２４は、セット作動時に、その被押動部２４ｄを図示していないカメラ本体側の部材に押されて、図示していないばねの付勢力に抗して初期位置からセット位置まで時計方向へ回転させられており、このセット状態においては、そのカメラ本体側の部材によって初期位置への復帰を抑止されている。
【００５６】
また、このとき、先羽根用電磁石１０と後羽根用電磁石１１には通電されていないが、セット部材２４によるセット作動時に、先羽根用第２駆動部材１５は、先羽根用駆動ばね１８の付勢力に抗して、その被押動部１５ｂをセット部材２４の押動部２４ｂに押されて反時計方向へ回転させられ、また、後羽根用駆動部材２０は、後羽根用駆動ばね２２の付勢力に抗して、ローラー２０ｄをセット部材２４の押動部２４ｃに押されて反時計方向へ回転させられており、それらに取り付けられている鉄片部材１６，２１は、各々の鉄片部１６ｃ，２１ｃを、上記の電磁石１０，１１の鉄芯部材１０ａ，１１ａに接触させた状態にさせられている。
【００５７】
また、先羽根用第１駆動部材１４は、セット作動時における先羽根用第２駆動部材１５の反時計方向への回転に伴って、セットばね３０の付勢力によって反時計方向へ回転させられており、その被押動部１４ａを、先羽根用第２駆動部材１５の押動部１５ｄに接触させた状態を維持させられている。更に、抑止手段１３には通電されておらず、永久磁石回転子１３ａは、抑止部材１３ｂを、先羽根用第１駆動部材１４の被抑止部１４ｂの作動軌跡外において、ストッパピン１ｑに接触させ、既に説明したようにして、その状態を維持させられている。
【００５８】
そのため、このセット状態においては、先羽根用第１駆動部材１４に連結されている先羽根は、３枚の羽根２７〜２９を展開させて開口部１ａを閉じており、後羽根用駆動部材２０に連結されている後羽根は、３枚の羽根３３〜３５を重畳させて開口部１ａの上方位置に格納されていて、ＣＣＤなどの撮像素子には被写体光が当たっていない。
【００５９】
尚、この図４のセット状態においては、鉄片部材１６，２１の軸部１６ａ，２１ａが目視できる状態になっているが、これは、周知のように、セット作動時において、先羽根用第２駆動部材１５と後羽根用駆動部材２０が、セット部材２４によって、鉄片部材１６，２１の鉄片部１６ｃ，２１ｃが鉄芯部材１０ａ，１１ａに接触した後も、各駆動ばね１８，２２をオーバーチャージさせ、且つ圧縮ばね（１７など）を圧縮させながら回転させられた状態で停止させられているからである。
【００６０】
このような図４の状態において、光学ファインダで被写体像を観察しながらカメラのレリーズボタンを押すと、先ず、上記の可動ミラーがアップ状態にさせられると共に、先羽根用電磁石１０のコイル１０ｂと、後羽根用電磁石１１のコイル１１ｂの両方に通電される。そのため、それまでは、各々の電磁石１０,１１の鉄芯部材１０ａ，１１ａに対して単に接触させられていただけの鉄片部材１６，２１が、電磁力によって吸着保持された状態になる。他方、この撮影モードが選択されているときには、抑止手段１３のコイル１３ｅには通電されることが全くない。そのため、抑止手段１３の抑止部材１３ｂは、常にストッパピン１ｑに接触させられた状態を維持したままである。
【００６１】
このように、鉄片部材１６，２１が二つの電磁石１０,１１の鉄芯部材１０ａ，１１ａによって吸着保持されると、図示していないカメラ本体側の部材が、セット部材２４の被押動部２４ｄの作動軌跡から退いていくので、それに追従して、セット部材２４は、図示していないばねの付勢力によって反時計方向へ回転させられていくが、その過程で、セット部材２４の押動部２４ｂが先羽根用第２駆動部材１５の被押動部１５ｂから離れ、押動部２４ｃが後羽根用駆動部材２０のローラー２０ｄから離れる。そのため、先羽根用第２駆動部材１５は、先羽根用駆動ばね１８の付勢力と圧縮ばね１７の付勢力より、先羽根用第１駆動部材１４を伴い、先羽根を作動させながら時計方向へ回転し始め、後羽根用駆動部材２０は、後羽根用駆動ばね２２の付勢力と図示していない圧縮ばねの付勢力によって、後羽根を作動させながら、時計方向へ回転し始める。
【００６２】
しかしながら、鉄片部材１６，２１が既に鉄芯部材１０ａ，１１ａに吸着されているため、各駆動部材１４，１５，２０は、僅かに回転するだけであって、取付部１５ｃ，２０ｂが鉄片部材１６，２１の頭部１６ｂ，２１ｂに当接することによって停止させられる。そのため、その段階では、先羽根は、開口部１ａを開くことはないし、後羽根は、開口部１ａ内に入らない。その後、セット部材２４が、初期位置へ復帰し、図示していない上記の係合部が、シャッタ地板１に形成された図示していない上記の長孔の一端に当接して停止させられた状態が、図５に示されている。尚、図８においては、このような先羽根と後羽根の僅かな作動の図示が省略されている。そして、このことは、他のタイミングチャートでも同じである。
【００６３】
このようにして図５の状態になると、被写体光などの撮影条件に対応し、露光時間制御回路によって決められた時間間隔で、先羽根用電磁石１０のコイル１０ｂに対する通電と、後羽根用電磁石１１のコイル１１ｂに対する通電とが順に断たれる。先ず、先羽根用電磁石１０のコイル１０ｂに対する通電が断たれると、先羽根用第２駆動部材１５が、先羽根用駆動ばね１８の付勢力によって急速に時計方向へ回転させられるが、このとき、先羽根用第２駆動部材１５の押動部１５ｄが先羽根用第１駆動部材１４の被押動部１４ａを押すので、先羽根用第１駆動部材１４も、セットばね３０の付勢力に抗して時計方向へ急速に回転させられる。そのため、先羽根の３枚の羽根２７〜２９は、隣接する羽根同士の重なりを大きくしながら急速に下方へ走行させられ、開口部１ａを上方から下方へ向けて開いていく。
【００６４】
続いて、後羽根用電磁石１１のコイル１１ｂに対する通電が断たれると、後羽根用駆動部材２０は、後羽根用駆動ばね２２の付勢力によって急速に時計方向へ回転させられ、後羽根の３枚の羽根３３〜３５を、隣接する羽根同士の重なりを小さくさせながら急速に下方へ走行させ、開口部１ａを上方から下方へ向けて閉じさせていく。このような後羽根用駆動部材２０の回転は、被写体光が比較的明るい場合には、先羽根が開口部１ａを全開にする前に開始させられる。従って、その場合には、撮像素子の撮像面は、先羽根のスリット形成羽根２９と後羽根のスリット形成羽根３５との間に形成されるスリットにより、上方から下方へ向けて連続的に露光されていく。
【００６５】
それに対して、被写体光が比較的暗い場合には、後羽根用駆動部材２０は、先羽根が開口部１ａを全開にした後、後羽根によって開口部１ａを閉じさせていく。そのため、周知のように、この場合には、先羽根の走行終了段階において、先羽根用第１駆動部材１４に設けられた図示していない押動部が、プリント配線板７に取り付けられた図示していない二つの接片部材を接触させることにより、開口部１ａの全開状態において、フラッシュを発光させるようにすることが可能である。
【００６６】
図６は、そのような被写体光が比較的暗い場合において、先羽根が開口部１ａを全開にした後、先羽根用第１駆動部材１４の駆動ピン１４ｃが緩衝部材４に当接して、二つの駆動部材１４，１５の回転が停止させられ、先羽根の３枚の羽根２７〜２９が重畳状態となって、開口部１ａの下方位置に格納された状態を示したものである。また、図７は、上記のような被写体光の明るさがいずれの場合であるかに関係なく、先羽根の３枚の羽根２７〜２９が重畳状態となって、開口部１ａの下方位置に格納された後、後羽根の３枚の羽根３３〜３５が展開状態となって開口部１ａを閉じ、後羽根用駆動部材２０が、駆動ピン２０ｃを緩衝部材５に当接させて停止させられた状態を示したものである。
【００６７】
このようにして図７の状態になると、撮影された撮像情報が、撮像装置から情報処理回路を介して転送され、記憶装置に記憶される。そして、撮像情報が記憶装置に記憶されると、図示していない可動ミラーがダウン状態に作動させられると共に、直ちにセット作動が開始される。そして、そのセット作動は、図７の状態において、図示していないカメラ本体側の部材が、セット部材２４の被押動部２４ｄを押し、図示していないばねの付勢力に抗してセット部材２４を時計方向へ回転させることによって行われる。
【００６８】
セット部材２４が時計方向へ回転を開始すると、先ず、セット部材２４の押動部２４ｂが先羽根用第２駆動部材１５の被押動部１５ｂを押し、先羽根用第２駆動部材１５を、先羽根用駆動ばね１８の付勢力に抗して反時計方向へ回転させ始める。それによって、先羽根用第１駆動部材１４も、セットばね３０の付勢力によって、被押動部１４ａを先羽根用第２駆動部材１５の押動部１５ｄに追従させ、反時計方向へ回転を開始するため、先羽根の３枚の羽根２７〜２９は、隣接する羽根同士の重なりを小さくしながら上方へ移動させられていく。
【００６９】
そして、先羽根のスリット形成羽根２９と後羽根のスリット形成羽根３５との重なり量が所定量に達すると、セット部材２４の押動部２４ｃが後羽根用駆動部材２０のローラー２０ｄを押し始めるので、後羽根用駆動部材２０も、後羽根用駆動ばね２２の付勢力に抗して、反時計方向へ回転を開始させられる。そのため、後羽根の３枚の羽根３３〜３５は、隣接する羽根同士の重なりを大きくしながら上方へ移動されていくようになる。そして、それ以後、先羽根と後羽根は、セット部材２４の押動部２４ｂ，２４ｃのカム形状によって、図８から分かるように、両方のスリット形成羽根２９，３５の重なり量を小さくしながら、共に上方へ移動されていく。
【００７０】
このようにして、先羽根の３枚の羽根２７〜２９が、展開状態となって開口部を閉じ、後羽根の３枚の羽根３３〜３５が、重畳状態となって開口部１ａから完全に上方へ退くと、その直後に、先羽根用第２駆動部材１４と後羽根用駆動部材２０に取り付けられている鉄片部材１６，２１の鉄片部１６ｃ，２１ｃが、相前後して先羽根用電磁石１０と後羽根用電磁石１１の鉄芯部材１０ａ，１１ａに当接する。
【００７１】
このとき、鉄片部１６ｃ，２１ｃが鉄芯部材１０ａ，１１ａに対して全く同時に当接するように製作することは、量産上、不可能である。そのため、セット部材２４の回転は、設計上、両方の鉄片部１６ｃ，２１ｃが、鉄芯部材１０ａ，１１ａに当接することになっている時点よりも後になってから、各駆動部材１４，１５，２０と共に停止させられるようになっている。そのため、その当接から停止するまでの過程において、先羽根用第２駆動部材１５は、先羽根用駆動ばね１８をオーバーチャージさせ、且つ鉄片部材１６を付勢している圧縮ばね１７を圧縮させることになり、後羽根用駆動部材２０は、後羽根用駆動ばね２２をオーバーチャージさせ、且つ鉄片部材２１を付勢している図示していない圧縮ばねを圧縮させることになる。
【００７２】
従って、先羽根用第２駆動部材１５と後羽根用駆動部材２０の停止状態においては、鉄片部材１６，２１は、それらの鉄片部１６ｃ，２１ｃが、取付部１５ｃ，２０ｂ内に押し込まれ、それらの軸部１６ａ，２１ａの一部が取付部１５ｃ，２０ｂ内から押し出されて、頭部１６ｂ，２１ｂが取付部１５ｃ，２０ｂから離れた状態にさせられる。その状態が、図４に示されたセット状態であって、第１撮影モードでの撮影が選択されている限り、次の撮影に際して、カメラのレリーズボタンが押されるまで、この状態が維持される。
【００７３】
次に、カメラの選択手段によって、上記のような第１撮影モードが選択されている状態において、即ち上記の図４に示されたセット状態において、第２撮影モードや第３撮影モードを選択した場合における切換え作動を説明するが、その説明に際しては、上記の第１撮影モードでの作動説明から充分理解することの可能なところを、簡略的に説明することにする。
【００７４】
尚、本実施例の場合、第２撮影モードに切り換えたときと、第３撮影モードに切り換えたときとでは、当然のことながら、撮影ごとのシャッタの作動シーケンスは、後述するように異なるが、上記した各構成手段のセット状態は全く同じである。そのため、シャッタの構成手段については、第１撮影モードから第２撮影モードへの切換え作動と、第１撮影モードから第３撮影モードへの切換え作動とは全く同じようにして行われる。そして、その場合には、切換え作動は、幾つかの方式のうちから、カメラの全体の設計仕様に最適なものを採用して行うようにすることが可能である。そこで、以下においては、第１撮影モードから、第２撮影モード又は第３撮影モードへ、切り換える場合に採用することの可能な三つの切換え方式を順に説明する。
【００７５】
先ず、第１の切換え方式による作動を、上記の図４，図７のほかに、新たに図９〜図１１を用いて説明する。尚、図９は、第１撮影モードの選択状態において、第２撮影モード又は第３撮影モードを選択した場合における切換え作動の途中の状態を示した平面図であり、図１０は、第２撮影モード又は第３撮影モードを選択した場合における切換え作動の終了状態、即ちセット状態を示した平面図であり、図１１は、第１撮影モードから、第２撮影モード又は第３撮影モードへの、第１の切換え方式の作動時における各主要構成手段の作動関係を示したタイミングチャートである。
【００７６】
図４は、上記のように、第１撮影モードでの撮影が選択されているときのセット状態を示したものである。この状態で、撮影者が、カメラの選択手段によって、第２撮影モード又は第３撮影モードを選択すると、図示していない可動ミラーが、例えば特許文献１に記載されているような手段によってアップ状態にさせられ、その状態を維持し続けるようにさせられると共に、図１１に示されているように、そのときの切換え信号によって、上記の第１撮影モードでの撮影と同様に、各電磁石１０，１１に通電されてから、セット部材２４が初期位置へ復帰させられる。
【００７７】
その後、二つの電磁石１０，１１に対する通電が断たれるが、図１１においては、それらのタイミングは、便宜上、上記の図８に示されている両者のタイミングと同じになるようにして示してある。即ち、先羽根が図６に示された状態になってから、後羽根の作動を開始させるタイミングで示してある。しかしながら、カメラ本体側の制御システムとの関係で問題がないのであれば、切換え作動時間は出来るだけ短い方がよい。そのため、電磁石１１に対する通電を断つタイミングを、もっと早くしてもよいし、それによって電磁石１０に対する通電を断つタイミングと同じにしても構わない。
【００７８】
このようにして、二つの電磁石１０，１１に対する通電が断たれて、各駆動部材１４，１５，２０が時計方向へ回転し、先羽根と後羽根の走行が終了すると、上記のように図７の状態になる。そして、後羽根の走行が終了すると、抑止手段１３のコイル１３ｅに対して逆方向の電流が供給される。そのため、永久磁石回転子１３ａは、図７において時計方向へ回転させられ、抑止部材１３ｂがストッパピン１ｐに当接することによって停止させられる。その後、コイル１３ｅに対する通電を断った状態が、図９に示されているが、この状態においては、抑止部材１３ｂの先端は、先羽根用第１駆動部材１４の被抑止部１４ｂの作動軌跡内に入っている。
【００７９】
図９の状態が得られると、直ちにセット作動が開始される。図９の状態において、図示していないカメラ本体側の部材が被押動部２４ｄを押すと、セット部材２４は、図示していないばねの付勢力に抗して初期位置から時計方向へ回転させられていく。その過程で、先ず、セット部材２４の押動部２４ｂが先羽根用第２駆動部材１５の被押動部１５ｂを押し、先羽根用第２駆動部材１５を先羽根用駆動ばね１８の付勢力に抗して反時計方向へ回転させ始める。そのため、先羽根用第１駆動部材１４も、セットばね３０の付勢力によって追従し、反時計方向へ回転し始める。
【００８０】
ところが、先羽根用第１駆動部材１４だけは、僅かに回転したところで、先羽根が開口部１ａに入る前に、その被抑止部１４ｂが抑止部材１３ｂの先端面に当接して停止させられてしまう。そのため、それ以後は、先羽根用第２駆動部材１５だけが、先羽根用駆動ばね１８の付勢力に抗して反時計方向へ回転させられていく。尚、このときの先羽根の作動は僅かであるため、図１１には示されていない。そして、このことは、図１２〜図１４のタイミングチャートにおいても同じである。
【００８１】
このようにして、先羽根用第１駆動部材１４の回転が抑止されると、続いて、セット部材２４の押動部２４ｃが後羽根用駆動部材２０のローラー２０ｄを押し始めるので、後羽根用駆動部材２０は、後羽根用駆動ばね２２の付勢力に抗して、反時計方向へ回転させられ、後羽根を上方へ移動させ始める。そのため、それ以後は、先羽根用第２駆動部材１５と後羽根用駆動部材２０だけが、共に反時計方向へ回転させられていくことになる。そして、後羽根の３枚の羽根３３〜３５が、重畳状態になって開口部１ａから上方へ退くと、その直後に、鉄片部材１６，２１の鉄片部１６ｃ，２１ｃが、相前後して電磁石１０，１１の鉄芯部材１０ａ，１１ａに当接する。そして、それらの当接の僅か後にセット部材２４の回転が停止し、図１０に示されたセット状態になる。
【００８２】
次に、第２の切換え方式による作動を、上記の図４，図６，図１０のほかに、新たに図１２を用いて説明する。尚、図１２は、第１撮影モードから、第２撮影モード又は第３撮影モードへの、第２の切換え方式の作動時における各主要構成手段の作動関係を示したタイミングチャートである。
【００８３】
この第２の切換え方式の場合には、図４に示されている第１撮影モードのセット状態において、撮影者が、カメラの選択手段によって、第２撮影モード又は第３撮影モードを選択すると、図示していない可動ミラーがアップ状態を維持し続けるようになると共に、切換え信号によって、各電磁石１０，１１に通電され、その後、セット部材２４が初期位置へ復帰させられる。
【００８４】
上記の第１の切換え方式の場合には、このあと、二つの電磁石１０，１１に対する通電を相次いで断ち、先羽根と後羽根の両方を走行させ終わった後に、抑止手段１３のコイル１３ｅに対して逆方向の電流を供給していた。ところが、この第２の切換え方式の場合には、先羽根用電磁石１０に対する通電を断っても、後羽根用電磁石１１への通電を直ちに断つことはせず、通電状態を続行させるようにしている。そのため、この切換え方式の場合は、先羽根用電磁石１０に対する通電を断って先羽根が走行し終わった状態、即ち上記の図６に示された状態になったとき、抑止手段１３のコイル１３ｅに対して逆方向の電流を供給する。それにより、永久磁石回転子１３ａは、図６において時計方向へ回転させられるが、抑止部材１３ｂがストッパピン１ｐに当接して停止させられと、コイル１３ｅに対する通電が断たれる。
【００８５】
その後、後羽根用電磁石１１への通電がなされている間に、上記の第１の切換え方式に準じて、セット部材２４が時計方向へ回転し、セット作動が行われる。但し、この場合には、後羽根用駆動部材２０は、後羽根用電磁石１１の鉄芯部材１１ａによって鉄片部材２１を吸着されているので、セット部材２４は、その回転開始直後からの殆どの回転中は、押動部２４ｂが被押動部１５ｂを押すことによって、先羽根用第２駆動部材部材１５だけを、先羽根用駆動ばね１８の付勢力に抗して反時計方向へ回転させることになる。そのため、そのときのセット力量は、第１の切換え方式の場合のセット力量よりも遥かに小さくて済む。
【００８６】
その後、鉄片部材１６の鉄片部１６ｃが先羽根用電磁石１０の鉄芯部材１０ａに当接する段階になると、セット部材２４の押動部２４ｃが後羽根用駆動部材２０のローラー２０ｄに当接して押すので、後羽根用駆動部材２０は、後羽根用駆動ばね２２の付勢力に抗して反時計方向へ回転させられる。その後、先羽根用第２駆動部材１５と後羽根用駆動部材２０とを僅かに反時計方向へ回転させると、セット部材２４の回転が停止する。そして、後羽根用電磁石１１に対する通電を断つと、図１０に示されたセット状態になる。
【００８７】
次に、第３の切換え方式による作動を、上記の図４，図７，図９，図１０のほかに、新たに図１３を用いて説明する。尚、図１３は、第１撮影モードから、第２撮影モード又は第３撮影モードへの、第３の切換え方式の作動時における各主要構成手段の作動関係を示したタイミングチャートである。
【００８８】
この第３の切換え方式の場合も、図４に示されている第１撮影モードのセット状態において、撮影者が、カメラの選択手段によって、第２撮影モード又は第３撮影モードを選択すると、図示していない可動ミラーがアップ状態を維持し続けるようになるが、図１３から分かるように、この第３の切換え方式の場合は、切換え信号によって、各電磁石１０，１１に通電されることがなく、直ちにセット部材２４が初期位置への復帰作動を開始する。
【００８９】
図４の状態において、セット部材２４が反時計方向への回転を開始すると、最初に、その押動部２４ｃによる、後羽根用駆動部材２０のローラー２０ｄに対する押圧が解かれてゆき、続いて、押動部２４ｃによる、先羽根用第２駆動部材１５の被押動部１５ｂに対する押圧が解かれていく。そのため、後羽根用駆動部材２０の方は、ローラー２０ｄがセット部材２４の押動部２４ｃに追従して、後羽根用駆動ばね２２の付勢力によって時計方向へ回転してゆき、後羽根は、比較的ゆっくりと下方へ走行していく。他方、先羽根用第２駆動部材１５の方は、被押動部１５ｂがセット部材２４の押動部２４ｂに追従して、先羽根用駆動ばね１８の付勢力によって時計方向へ回転し、その押動部１５ｄによって被押動部１４ａを押し、セットばね３０の付勢力に抗して先羽根用第１駆動部材１４を時計方向へ回転させるので、先羽根も、比較的ゆっくりと下方へ走行していく。
【００９０】
そして、先ず、後羽根用駆動部材２０の駆動ピン２０ｃが緩衝部材５に当接することによって、後羽根用駆動部材２０と後羽根が停止し、続いて、先羽根用第１駆動部材１４の駆動ピン１４ｃが緩衝部材４に当接することによって、先羽根用第１駆動部材１４と、先羽根用第２駆動部材１５と、先羽根が停止するが、その状態が図７に示された状態である。このようにして図７の状態が得られると、直ちに抑止手段１３のコイル１３ｅに対して逆方向の電流が供給される。そのため、永久磁石回転子１３ａが、図７において時計方向へ回転させられるが、抑止部材１３ｂがストッパピン１ｐに当接して停止した後、コイル１３ｅに対する通電が断たれる。
【００９１】
その後、上記の第１の切換え方式におけるセット作動と同じようにして直ちにセット作動が行われ、図１０に示されたセット状態が得られる。このように、第３の切換え方式は、切換え作動時に、二つの電磁石１０，１１に全く通電しないので、上記の二つの切換え方式よりも、省電力の点で有利である。また、切換え作動に要する時間も、上記の二つの切換え方式よりも短くて済むのが特徴である。
【００９２】
次に、上記のようにして選択された第２撮影モードでの作動、即ち電子ファインダを用いて撮影する場合であって、セット状態においては、先羽根と後羽根の両方が露光開口を開いていて、撮影に際しては、レリーズ後の初期段階において先羽根が露光開口を一旦閉じた後、先羽根が露光開口を開き始めることによって撮影露光を開始し後羽根が露光開口を閉じ終わることによって撮影露光を終了するようにしたモードでの作動を、上記の図４〜図７，図９，図１０のほか、新たに図１４を用いて説明する。尚、図１４は、第２撮影モードで撮影する場合における各主要構成手段の作動関係を示すタイミングチャートである。また、この第２撮影モードの作動は、これまでの説明から充分に理解することができるところを簡略化して説明する。
【００９３】
図１０は、第２撮影モードを選択したときのセット状態を示したものである。そのため、上記したように、可動ミラーはアップ状態を維持されている。また、このとき、二つの電磁石１０,１１のコイル１０ｂ,１１ｂと、抑止手段１３のコイル１３ｅには通電されていない。しかし、抑止手段１３の永久磁石回転子１３ａは、時計方向へ回転させられた状態になっており、抑止部材１３ｂの先端部は、先羽根用第１駆動部材１４の被抑止部１４ｂに接触し、セットばね３０の付勢力による先羽根用第１駆動部材１４の反時計方向の回転を抑止している。そのため、第１撮影モードの場合のセット状態とは異なり、開口部１ａが全開状態になっているので、カメラの電源スイッチがオンになっていれば、電子ファインダによって、撮影しようとする被写体の現在の状態を観察することが可能になっている。
【００９４】
このセット状態において、電子ファインダで被写体像を観察しながら、カメラのレリーズボタンを押すと、二つの電磁石１０，１１のコイル１０ｂ，１１ｂに通電され、同時に抑止手段１３のコイル１３ｅに対しても順方向の電流が供給される。それにより、一方では、それまで、各々の電磁石１０，１１の鉄芯部材１０ａ，１１ａに対し単に接触していただけの鉄片部材１６，２１が、電磁力によって吸着保持されるようになる。また、他方では、抑止手段１３の永久磁石回転子１３ａが、抑止部材１３ｂがストッパピン１ｑに当接するまで反時計方向へ回転させられ、その後、コイル１３ｅに対する通電が断たれる。
【００９５】
このように、永久磁石回転子１３ａが反時計方向へ回転し、抑止部材１３ｂによる先羽根用第１駆動部材１４の抑止を解くと、先羽根用第１駆動部材１４は、セットばね３０の付勢力によって反時計方向へ回転し、駆動ピン１４ｃによって先羽根の３枚の羽根２７〜２９を上方へ走行させる。そのため、先羽根の３枚の羽根２７〜２９は、隣接する羽根同士の重なり量を小さくしてゆくが、先羽根用第１駆動部材１４の回転が、その被押動部１４ａを先羽根用第２駆動部材１５の押動部１５ｄに当接させて停止したときには、展開状態となって、開口部１ａを完全に閉じるようになる。そのときの状態が、図４に示された状態である。
【００９６】
図４に示された状態が得られると、図示していないカメ本体側の部材がセット部材２４の被押動部２４ｄから退いていく。そのため、セット部材２４は、それに追従し、図示していないばねの付勢力によって反時計方向への回転を開始する。そして、その回転の初期段階において、先羽根用第２駆動部材１５と後羽根用駆動部材２０とは、既に説明したようにして、僅かに時計方向へ回転したところで停止させられる。その後、セット部材２４が初期位置へ復帰して停止した状態が、図５に示された状態である。
【００９７】
図５に示された状態が得られると、第１撮影モードでの撮影の場合と同様に、先羽根用電磁石１０に対する通電と、後羽根用電磁石１１に対する通電が、被写体の明るさに対応した時間間隔で順に断たれる。そのため、先ず、先羽根用電磁石１０に対する通電が断たれると、先羽根用第２駆動部材１５が先羽根用第１駆動部材１４を伴って時計方向へ回転するので、先羽根の３枚の羽根２７〜２９は、隣接する羽根同士の重なり量を大きくしながら開口部１ａを開いていく。そして、二つの駆動部材１４，１５の回転は、被写体の明るさが比較的暗い場合には、後羽根が走行を開始する前に、駆動ピン１４ｃが緩衝部材４に当接して停止する。そのときの状態が図６に示された状態であり、先羽根の３枚の羽根２７〜２９は、重畳状態になって開口部１ａの下方位置に格納されている。
【００９８】
先羽根用電磁石１０に対する通電が断たれてから所定時間後に、後羽根用電磁石１１に対する通電が断たれると、後羽根用駆動部材２０が、時計方向へ回転するので、後羽根の３枚の羽根３３〜３５は、隣接する羽根同士の重なり量を小さくしながら開口部１ａを閉じていく。そして、後羽根の３枚の羽根３３〜３５が展開状態になって開口部１ａを完全に閉じ終わると、後羽根用駆動部材２０の回転は、駆動ピン２０ｃが緩衝部材５に当接することによって停止させられる。図７は、そのときの状態を示したものである。
【００９９】
このようにして図７の状態になると、撮影された撮像情報が、撮像装置から情報処理回路を介して転送され、記憶装置に記憶される。また、他方では、抑止手段１３のコイル１３ｅに対して逆方向の電流が供給される。そのため、永久磁石回転子１３ａが、図７において時計方向へ回転させられるが、抑止部材１３ｂがストッパピン１ｐに当接して停止すると、コイル１３ｅに対する通電が断たれる。図９は、そのときの状態を示している。そして、この状態が得られると直ちにセット作動が行われるが、その作動は、上記の第１及び第３の切換え方式におけるセット作動と全く同じであるため説明を省略する。
【０１００】
尚、ここまでは、この第２撮影モードは、電子ファインダを用いて撮影する場合であって、セット状態においては、先羽根と後羽根の両方が露光開口を開いていて、撮影に際しては、レリーズ後の初期段階において先羽根が露光開口を一旦閉じた後、先羽根が露光開口を開き始めることによって撮影露光を開始し後羽根が露光開口を閉じ終わることによって撮影露光を終了するようにしたモードであると説明してきた。
【０１０１】
しかしながら、本発明のデジタルカメラ用フォーカルプレンシャッタは、光学ファインダを用いて撮影をする場合であっても、この第２撮影モードでの作動と同じ作動をさせて撮影をすることも可能である。その場合は、セット状態において、開口部１ａが全開になっていても、可動ミラーがダウン状態になっているので、被写体像を、光学ファインダでは観察できるが、電子ファインダでは観察できないだけのことである。また、本発明のデジタルカメラ用フォーカルプレンシャッタを、可動ミラーの代りにハーフミラーを備えた一眼レフカメラに採用した場合には、撮影者が、光学ファインダと電子ファインダとを使い分けて撮影を行うことも可能になる。そして、このことは、以下に説明する第３撮影モードについても言えることである。
【０１０２】
次に、第３撮影モードでの作動、即ち、電子ファインダを用いて撮影する場合に、セット状態においては、先羽根と後羽根の両方が露光開口を開いていて、撮影に際しては、電子制御回路が撮像素子を制御することによって撮影露光を開始し後羽根が露光開口を閉じることによって撮影露光を終了するようにしたモードでの作動を、上記の図１０のほか、新たに図１５〜図１７を用いて説明する。尚、図１５は、カメラのレリーズボタンが押された直後の状態を示した平面図であり、図１６は、図１５の状態から後羽根が露光開口を閉鎖した状態を示した平面図であり、図１７は、第３撮影モードで撮影する場合における各主要構成手段の作動関係を示すタイミングチャートである。また、この第２撮影モードでの作動についても、これまでの説明から充分に理解することができるところは、簡略化して説明する。
【０１０３】
既に説明したように、図１０は、上記の第２撮影モードを選択したときにおけるセット状態を示したものでもあるが、第３撮影モードを選択したときのセット状態を示したものでもある。そのため、撮影者が、第３撮影モードの選択状態から第２撮影モードの選択状態に切り換えた場合にも、また、第２撮影モードの選択状態から第３撮影モードの選択状態に切り換えた場合にも、本実施例の各構成手段は全く作動しない。従って、第３撮影モードが選択された場合には、以下に説明する撮影ごとの作動シーケンスが変わるだけである。
【０１０４】
図１０のセット状態においては、上記したように、可動ミラーはアップ状態を維持されており、二つの電磁石１０,１１のコイル１０ｂ,１１ｂと、抑止手段１３のコイル１３ｅには通電されていない。しかしながら、抑止手段１３の永久磁石回転子１３ａは、時計方向へ回転させられた状態になっており、抑止部材１３ｂの先端部は、先羽根用第１駆動部材１４の被抑止部１４ｂに接触し、セットばね３０の付勢力による先羽根用第１駆動部材１４の反時計方向の回転を抑止している。そのため、開口部１ａが全開状態になっており、カメラの電源スイッチがオンになっていれば、電子ファインダによって、撮影しようとする被写体の状況を観察することが可能になっている。そして、この第３撮影モードの場合には、このあと、抑止手段１３のコイル１３ｅに通電されることが全くない。そのため、抑止部材１３ｂは、この状態を維持し続けることになる。
【０１０５】
このようなセット状態において、電子ファインダで被写体像を観察しながら、カメラのレリーズボタンを押すと、二つの電磁石１０，１１のコイル１０ｂ，１１ｂに通電され、それまでは、各々の電磁石１０，１１の鉄芯部材１０ａ，１１ａに対して単に接触していただけの鉄片部材１６，２１が、電磁力によって吸着保持される。その後、図示していないカメ本体側の部材が、セット部材２４の被押動部２４ｄから退いていくと、セット部材２４は、それに追従し、図示していないばねの付勢力によって反時計方向への回転を開始する。そして、その回転の初期段階において、先羽根用第２駆動部材１５と後羽根用駆動部材２０とは、既に説明したようにして、僅かに時計方向へ回転したところで停止させられる。その後、セット部材２４が初期位置へ復帰して停止した状態が、図１５に示された状態である。
【０１０６】
図１５に示された状態が得られると、電子制御回路が撮像素子を制御することによって撮影が開始される。そして、被写体の明るさに対応して決められた所定時間が経過すると、先羽根用電磁石１０には通電したままで、後羽根用電磁石１１に対する通電が断たれる。そのため、後羽根用駆動部材２０が時計方向へ回転するので、後羽根の３枚の羽根３３〜３５は、隣接する羽根同士の重なり量を小さくしながら開口部１ａを閉じていく。そして、後羽根の３枚の羽根３３〜３５が展開状態になって開口部１ａを完全に閉じ終わると、後羽根用駆動部材２０は、駆動ピン２０ｃが緩衝部材５に当接することによって停止させられる。図１６は、そのときの状態を示したものであるが、この状態になっても、先羽根用電磁石１０には通電されているので、先羽根用第２駆動部材１５は、鉄片部材２１が先羽根用電磁石１０に吸着されたままになっている。
【０１０７】
このような図１６の状態において、撮影された撮像情報が、情報処理回路を介して記憶装置に記憶されると、直ちにセット作動が行われる。セット部材２４は、図１６の状態において、図示していないカメラ本体側の部材によって被押動部２４ｄを押されると、図示していないばねの付勢力に抗して初期位置から時計方向へ回転させられていく。ところが、このときには、先羽根用第２駆動部材１５は、その鉄片部材２１が先羽根用電磁石１０に吸着された状態になっているため、セット部材２４は、先ず、押動部２４ｃがローラー２０ｄを押すことになり、後羽根用駆動部材２０を、後羽根用駆動ばね２２の付勢力に抗して、反時計方向へ回転させる。そのため、後羽根の３枚の羽根３３〜３５は、隣接する羽根同士の重なり量を大きくしながら上方へ走行させられていく。
【０１０８】
そして、後羽根の３枚の羽根３３〜３５が、重畳状態になって開口部１ａから上方へ退き、鉄片部材２１の鉄片部２１ｃが、後羽根用電磁石１１の鉄芯部材１１ａに当接する段階になると、セット部材２４の押動部２４ｂが先羽根用第２駆動部材１５の被押動部１５ｂに当接し、先羽根用第２駆動部材１５を押動するようになる。その後、セット部材２４は、先羽根用駆動ばね１８と後羽根用駆動ばね２２を僅かにオーバーチャージさせたところで停止させられる。その後、先羽根用電磁石１０に対する通電を断つと、図１０に示されたセット状態に復帰したことになる。
【０１０９】
ところで、上記の作動説明においては、図１０のセット状態においてカメラのレリーズボタンが押されると、先羽根用電磁石１０と後羽根用電磁石１１の両方に通電され、先羽根用電磁石１０への通電は、セット作動の終了段階になってから断たれる場合を説明した。そのため、この場合には、セット部材２４は、セット作動の殆どの行程において、押動部２４ｂにより先羽根用第２駆動部材１５の被押動部１５ｂを先羽根用駆動ばね１８の付勢力に抗して押すことがないので、セット力量の点で有利といえる。
【０１１０】
しかしながら、そのようにして作動させるのではなく、先羽根用電磁石１０に対しては全く通電しないで作動させることも可能である。即ち、その場合は、図１０のセット状態においてカメラのレリーズボタンが押されると、後羽根用電磁石１１にだけ通電してから、セット部材２４を反時計方向へ回転させることになる。そうすると、先羽根用第２駆動部材１５は、その被押動部１５ｂがセット部材２４の押動部２４ｂに追従し、先羽根用駆動ばね１８の付勢力によって時計方向へ回転し、セット部材２４が初期位置へ復帰したときには、押動部１５ｄが先羽根用第１駆動部材１４の被押動部１４ａを押して停止するようになる。
【０１１１】
そのため、その後、後羽根用駆動部材２０が時計方向へ回転して撮影が終了した段階では、上記の図９に示された状態になり、先羽根用第１駆動部材１４の被抑止部１４ｂが、抑止手段１３の抑止部材１３ｂから離れた状態になる。従って、この場合におけるセット作動は、上記の第１の切換え方式におけるセット作動と同じようにして行われることになる。そして、第３撮影モードでの作動をこのようにして行うようにすると、シャッタユニットとしては、省電力の点で有利になる。
【０１１２】
ここで、第４撮影モードについて説明をしておく。既に説明したように、第４撮影モードは、電子ファインダを用いて撮影する場合であって、セット状態においては、先羽根と後羽根の両方が露光開口を開いていて、撮影に際しては、先羽根を作動させることなく、電子制御回路が撮像素子における撮影露光の開始と終了の両方を制御し、撮影露光終了後に後羽根を作動させて露光開口を閉じさせるようにしたモードである。そのため、この第４撮影モードの場合には、第３撮影モードの場合には、後羽根が露光開口を閉じることによって撮影露光が終了していたのに対して、撮影露光が終了してから後羽根が露光開口を閉じるようにしている点が異なっているだけである。
【０１１３】
従って、両者は、後羽根の閉じ作動を開始させるタイミングが異なるだけであって、セット状態も、撮像情報が記憶装置に記憶された直後の状態も、全く同じということになる。そのため、第４撮影モードについての作動説明は省略する。また、カメラの仕様として、上記の三つの撮影モードのほかに、第４撮影モードの選択も可能にした場合には、第１撮影モードからの切り換えは、上記した第１撮影モードから第２撮影モード又は第３撮影モードへの切り換えと同じようにして行われるし、第２撮影モード又は第３撮影モードからの切り換え、並びに第２撮影モード又は第３撮影モードへの切り換えは、単に作動シーケンスが変わるだけであって、図示されている実施例の各構成手段は全く作動しない。
【０１１４】
次に、撮影者が、第２撮影モード又は第３撮影モードが選択されている状態から、第１撮影モードを選択した場合における切換え作動を、上記の図４，図１０のほかに、新たに図１８を用いて説明する。尚、図１８は、第２撮影モード又は第３撮影モードから、第１撮影モードへの作動時における各主要構成手段の作動関係を示したタイミングチャートである。また、上記のように、第４撮影モードの選択も可能にしている場合には、この切換え作動は、第４撮影モードから第１撮影モードへ切り換えるときも同じである。
【０１１５】
上記のように、第２撮影モードを選択している場合も、第３撮影モードを選択している場合も、セット状態は図１０に示された状態である。そのため、第２撮影モードから第１撮影モードに切り換える作動も、第３撮影モードから第１撮影モードに切り換える作動も、全く同じである。そこで、撮影者が、カメラの選択手段によって、第１撮影モードを選択すると、図示していない可動ミラーがダウン状態にさせられ、撮影ごとにアップ・ダウン作動を可能にさせられると共に、そのときの切換え信号によって、図１０の状態にある抑止手段１３のコイル１３ｅに対して順方向の電流が供給される。そのため、永久磁石回転子１３ａは、反時計方向へ回転させられ、抑止部材１３ｂがストッパピン１ｑに当接して停止させられる。そして、その後、コイル１３ｅに対する通電が断たれる。
【０１１６】
このようにして、永久磁石回転子１３ａが反時計方向へ回転させられると、抑止部材１３ｂの先端が先羽根用第１駆動部材１４の被抑止部１４ｂから外れるので、先羽根用第１駆動部材１４は、セットばね３０の付勢力によって反時計方向へ回転させられ、先羽根の３枚の羽根２７〜２９は、隣接する羽根同士の重なり量を小さくしながら上方へ走行し、開口部１ａを閉じていく。そして、先羽根の３枚の羽根２７〜２９が開口部１ａを完全に閉じると、その直後に、先羽根用第１駆動部材１４の被押動部１４ａが先羽根用第２駆動部材１５の押動部１５ｄに当接して停止する。その状態が、図４に示された状態であって、第１撮影モードで撮影する場合のセット状態である。
【０１１７】
尚、上記の実施例においては、抑止手段１３が、往復回転をする可動子としての永久磁石回転子１３ａに対し抑止部材１３ｂが一体化されているようにした電磁装置ユニットとして構成されているが、本発明の抑止手段は、そのような電磁装置ユニットに限定されるものではない。例えば、棒状の可動子を備えた電磁プランジャのように、可動子が直線的に往復作動し、その一端が先羽根用第１駆動部材の被押動部の作動軌跡内に出入りし得るようにした電磁装置ユニットであっても構わない。その場合には、その可動子が本発明の抑止部材ということになる。
【０１１８】
また、本発明の抑止手段は、周知のステッピングモータの回転子や出力軸に、先羽根用第１駆動部材の被押動部の作動軌跡内に出入りし得る抑止部材を一体化させた構成であっても構わない。更に、本発明の抑止手段は、上記した周知の電流制御式のモータや周知のステッピングモータなどの各種の電磁アクチュエータと、それによって往復回転又は直線的な往復作動をさせられる部材とによって構成するようにしてもよい。そのように構成するとコスト上では不利になるが、シャッタ地板に対するレイアウト上では自由度が増すことがある。
【０１１９】
また、実施例においては、セットばね３０が、シャッタ地板１の軸１ｊに嵌装されていて、その一端を、シャッタ地板１の図示していないばね掛け部に掛け、他端を、先羽根のアーム２６に掛けているが、本発明は、このような構成に限定されず、セットばね３０をシャッタ地板１の軸１ｇに嵌装させておき、一端を、先羽根用第１駆動部材１４に掛け、他端を、先羽根用第２駆動部材１５に掛けることによって、先羽根用第１駆動部材１４が先羽根用第２駆動部材１５に対して反時計方向へ回転するように付勢し、また、先羽根用第２駆動部材１５が先羽根用第１駆動部材１４に対して時計方向へ回転するように付勢するようにしてもよい。そのような構成にすると先羽根用第２駆動部材１５が、先羽根用駆動ばね１８の付勢力によって時計方向へ回転するとき、セットばねの付勢力に抗して回転しなくて済むようになる。
【符号の説明】
【０１２０】
１                                      シャッタ地板
１ａ，２ａ，３ａ                        開口部
１ｂ，１ｃ，１ｄ                        孔
１ｅ，１ｆ                              柱
１ｇ，１ｈ，１ｉ，１ｊ，１ｋ            軸
１ｍ，１ｎ，３ｂ，３ｃ，２５ａ，３１ａ  長孔
１ｐ，１ｑ                              ストッパピン
２                                      中間板
３                                      補助地板
４，５                                  緩衝部材
６                                      支持板
６ａ，６ｂ                              ラチェット爪
７                                      プリント配線板
８，９，１２                            ねじ
１０                                    先羽根用電磁石
１０ａ，１１ａ                          鉄芯部材
１０ｂ，１１ｂ，１３ｅ                  コイル
１０ｃ，１１ｃ                          ボビン
１１                                    後羽根用電磁石
１３                                    抑止手段
１３ａ                                  永久磁石回転子
１３ｂ                                  抑止部材
１３ｃ                                  第１固定子枠
１３ｃ−１                              張出部
１３ｃ−２                              窓
１３ｄ                                  第２固定子枠
１３ｆ                                  ヨーク
１３ｇ                                  磁性体棒
１４                                    先羽根用第１駆動部材
１４ａ，１５ｂ，２４ｄ                  被押動部
１４ｂ                                  被抑止部
１４ｃ，２０ｃ                          駆動ピン
１５                                    先羽根用第２駆動部材
１５ａ，２０ａ，２４ａ                  筒部
１５ｃ，２０ｂ                          取付部
１５ｄ，２４ｂ，２４ｃ                  押動部
１６，２１                              鉄片部材
１６ａ，２１ａ                          軸部
１６ｂ，２１ｂ                          頭部
１６ｃ，２１ｃ                          鉄片部
１７                                    圧縮ばね
１８                                    先羽根用駆動ばね
１９，２３                              ラチェット部材
２０                                    後羽根用駆動部材
２０ｄ                                  ローラー
２２                                    後羽根用駆動ばね
２４                                    セット部材
２５，２６，３１，３２                  アーム
２７，２８，２９，３３，３４，３５      羽根
３０                                    セットばね
３６                                    ばね
【図１】
2011113060.tif 000003
【図２】
2011113060.tif 000004
【図３】
2011113060.tif 000005
【図４】
2011113060.tif 000006
【図５】
2011113060.tif 000007
【図６】
2011113060.tif 000008
【図７】
2011113060.tif 000009
【図８】
2011113060.tif 000010
【図９】
2011113060.tif 000011
【図１０】
2011113060.tif 000012
【図１１】
2011113060.tif 000013
【図１２】
2011113060.tif 000014
【図１３】
2011113060.tif 000015
【図１４】
2011113060.tif 000016
【図１５】
2011113060.tif 000017
【図１６】
2011113060.tif 000018
【図１７】
2011113060.tif 000019
【図１８】
2011113060.tif 000020